(57)【要約】【課題】握り部に対するスイッチ部の位置を調節できる電気掃除機を提供する。【解決手段】電気掃除機は、電動送風機を内蔵する本体と、電動送風機の制御を指示するためのスイッチ部１０と、ユーザが握るための握り部７とを備えている。スイッチ部１０は、握り部７の近傍に設けられ、握り部７に対して離接する構成とされている。【選択図】図２
2019141333.tif 000002
【特許請求の範囲】
【請求項１】
電動送風機を内蔵する本体と、
前記電動送風機の制御を指示するためのスイッチ部と、
ユーザが握るための握り部とを備えた電気掃除機であって、
前記スイッチ部は、前記握り部の近傍に設けられ、前記握り部に対して離接する構成とされていること
を特徴とする電気掃除機。
【請求項２】
請求項１に記載の電気掃除機であって、
前記スイッチ部は、前記握り部から離間した距離に応じて、複数の停止位置が設定されており、前記停止位置において移動が規制されること
を特徴とする電気掃除機。
【請求項３】
請求項１または請求項２に記載の電気掃除機であって、
前記スイッチ部を覆うカバーを備えること
を特徴とする電気掃除機。
【請求項４】
請求項１から請求項３までのいずれか１つに記載の電気掃除機であって、
前記握り部が一体に形成された把持筐体を備え、
前記スイッチ部は、前記把持筐体に係止されていること
を特徴とする電気掃除機。
【請求項５】
請求項４に記載の電気掃除機であって、
前記把持筐体は、前記スイッチ部が収容される収容凹部が設けられ、
前記収容凹部は、前記スイッチ部が離接する方向に対して、前記スイッチ部よりも大きく形成され、
前記スイッチ部は、前記収容凹部を覆う凹部カバーに連結されていること
を特徴とする電気掃除機。
【請求項６】
請求項１から請求項５までのいずれか１つに記載の電気掃除機であって、
前記スイッチ部は、前記握り部に対して離接させた際、前記電動送風機への指示内容が変わらないこと
を特徴とする電気掃除機。
【請求項７】
請求項１から請求項５までのいずれか１つに記載の電気掃除機であって、
前記スイッチ部は、前記電動送風機への指示内容がそれぞれ割り当てられた複数のボタンを有し、
前記握り部に対して前記スイッチ部を離接させた際、前記複数のボタンに割り当てた指示内容を入れ替えること
を特徴とする電気掃除機。
【発明の詳細な説明】
【技術分野】
【０００１】
本発明は、電動送風機の制御を指示するためのスイッチ部を備えた電気掃除機に関する。
【背景技術】
【０００２】
一般的に、電気掃除機においては、ユーザが操作するためのスイッチが設けられており、スイッチ近傍をユーザが掴みやすいように設計されている（例えば、特許文献１ないし特許文献４）。
【先行技術文献】
【特許文献】
【０００３】
【特許文献１】実開昭６２−３３７５６号公報
【特許文献２】特開２００１−２７５９０７号公報
【特許文献３】特開２００７−１２８６７３号公報
【特許文献４】特開平９−２０６２５６号公報
【発明の概要】
【発明が解決しようとする課題】
【０００４】
特許文献１に記載の電気掃除機では、ホースの握り部に制御操作子を設け、制御操作子による制御内容を表示する表示部を握り部に形成している。
【０００５】
特許文献２に記載の電気掃除機は、操作時に握る手元握り部と、手元握り部に配されたスイッチレバーとを備え、手元握り部とスイッチレバーとを係合させて、通電した状態を保持する構成とされている。
【０００６】
特許文献３に記載の電気掃除機には、互いに離間対向した一対のフィルム基板と、それぞれのフィルム基板に設けられた一対の電極部と、フィルム基板に沿ってスライドし、一対の電極部を接触させるスライド押圧部とを備えたスイッチ構造が設けられている。
【０００７】
特許文献４に記載の電気掃除機では、スイッチ操作子を手元操作部に有し、手元操作部の外周面は、凹陥した湾曲面とされ、湾曲面に沿ってスイッチ操作子の制御内容を表示する表示部を設けている。
【０００８】
上述した特許文献１ないし特許文献４では、スイッチをスライドさせて電動送風機の回転速度を制御し、電気掃除機の吸引力を調整しているが、スイッチの基本的な位置は固定されている。具体的に、ユーザは、手で握り部を握った状態で、指を伸ばしてスイッチを操作するが、ユーザの手の大きさに対して、握り部からスイッチまでの距離が、短かったり長かったりして押しづらく、使用性が悪い場合があった。
【０００９】
本発明は、上記の課題を解決するためになされた電気掃除機を提供することを目的とする。
【課題を解決するための手段】
【００１０】
本発明に係る電気掃除機は、電動送風機を内蔵する本体と、前記電動送風機の制御を指示するためのスイッチ部と、ユーザが握るための握り部とを備えた電気掃除機であって、前記スイッチ部は、前記握り部の近傍に設けられ、前記握り部に対して離接する構成とされていることを特徴とする。
【００１１】
本発明に係る電気掃除機では、前記スイッチ部は、前記握り部に対して離接させた際、前記電動送風機への指示内容が変わらない構成としてもよい。
【００１２】
本発明に係る電気掃除機では、前記スイッチ部は、前記握り部から離間した距離に応じて、複数の停止位置が設定されており、前記停止位置において移動が規制される構成としてもよい。
【００１３】
本発明に係る電気掃除機は、前記スイッチ部を覆うカバーを備える構成としてもよい。
【００１４】
本発明に係る電気掃除機は、前記握り部が一体に形成された把持筐体を備え、前記スイッチ部は、前記把持筐体に係止されている構成としてもよい。
【００１５】
本発明に係る電気掃除機では、前記把持筐体は、前記スイッチ部が収容される収容凹部が設けられ、前記収容凹部は、前記スイッチ部が離接する方向に対して、前記スイッチ部よりも大きく形成され、前記スイッチ部は、前記収容凹部を覆う凹部カバーに連結されている構成としてもよい。
【００１６】
本発明に係る電気掃除機では、前記スイッチ部は、前記電動送風機への指示内容がそれぞれ割り当てられた複数のボタンを有し、前記握り部に対して前記スイッチ部を離接させた際、前記複数のボタンに割り当てた指示内容を入れ替える構成としてもよい。
【発明の効果】
【００１７】
本発明によると、ユーザの手の大きさなどに応じて、握り部に対するスイッチ部の位置を調節することで、スイッチ部を操作しやすくなり、使用性を向上させることができる。
【図面の簡単な説明】
【００１８】
【図１】本発明の第１実施形態に係る電気掃除機の外観斜視図である。
【図２】把持筐体の要部を拡大して示す概略断面図である。
【図３】図２に示す把持筐体の要部を拡大して示す概略上面図である。
【図４】スイッチ部を移動させた状態において、把持筐体の要部を拡大して示す概略断面図である。
【図５】図４に示す把持筐体の要部を拡大して示す概略上面図である。
【図６】本発明の第２実施形態に係る電気掃除機において、把持筐体の要部を拡大して示す概略断面図である。
【図７】図６に示す把持筐体の要部を拡大して示す概略上面図である。
【図８】カバーを移動させた状態において、把持筐体の要部を拡大して示す概略断面図である。
【図９】図８に示す把持筐体の要部を拡大して示す概略上面図である。
【図１０】本発明の第３実施形態に係る電気掃除機において、把持筐体の要部を拡大して示す概略断面図である。
【図１１】図１０に示す把持筐体の要部を拡大して示す概略上面図である。
【図１２Ａ】係止突部と幅広部との位置関係を示す模式説明図（その１）である。
【図１２Ｂ】係止突部と幅広部との位置関係を示す模式説明図（その２）である。
【図１２Ｃ】係止突部と幅広部との位置関係を示す模式説明図（その３）である。
【図１３】本発明の第４実施形態に係る電気掃除機において、把持筐体の要部を拡大して示す概略断面図である。
【図１４Ａ】本発明の第５実施形態に係る電気掃除機において、把持筐体の要部を拡大して示す概略断面図である。
【図１４Ｂ】ボタンカバーを移動させた状態において、把持筐体の要部を拡大して示す概略断面図である。
【発明を実施するための形態】
【００１９】
（第１実施形態）
以下、本発明の第１実施形態に係る電気掃除機について、図面を参照して説明する。
【００２０】
図１は、本発明の第１実施形態に係る電気掃除機の外観斜視図である。
【００２１】
本発明の第１実施形態に係る電気掃除機１（キャニスタータイプの電気掃除機）は、電動送風機を内蔵した本体２と、本体２から伸びるホース３と、ホース３の先端に設けられた把持筐体４と、把持筐体４に接続されたパイプ５と、パイプ５の先端に接続された吸引部６（吸込口体）とを備えており、把持筐体４には、握り部７およびスイッチ部１０が設けられている。
【００２２】
本体２は、モータやファンによって構成された電動送風機と、吸引した塵埃の集塵部とを内蔵している。なお、電気掃除機１は、上述した構成に限らず、集塵部とモータやファン等とを組み合わせたサイクロン式であってもよいし、スティックタイプの電気掃除機であってもよい。
【００２３】
パイプ５およびホース３は、内部が空洞とされ、両端が開口している。吸引部６は、開口が設けられており、パイプ５およびホース３を介して、開口から取り込んだ塵埃を本体２へ送る。
【００２４】
把持筐体４は、ホース３とパイプ５との間に設けられている。つまり、ユーザは、握り部７を握りながら把持筐体４を動かすことで、パイプ５を介して吸引部６を動かすことができる。次に、把持筐体４の構造について、図２および図３を参照して説明する。
【００２５】
図２は、把持筐体の要部を拡大して示す概略断面図であって、図３は、図２に示す把持筐体の要部を拡大して示す概略上面図である。
【００２６】
図２および図３は、把持筐体４のうち、握り部７およびスイッチ部１０の近傍を拡大して示している。握り部７およびスイッチ部１０は、把持筐体４の長手方向に沿って設けられている。握り部７は、把持筐体４の外周面の一部であって、人の手でつかめる程度の太さとされた略棒状に形成されている。なお、握り部７は、人の手に応じた長さが確保されていればよく、両端が把持筐体４の外周面に繋がっていてもよいし、先端が把持筐体４の外周面から突出した突起とされていてもよい。
【００２７】
スイッチ部１０は、把持筐体４に設けられた収容凹部２０内に収納され、握り部７から伸ばしたユーザの指が届く程度に離間した位置に設けられている。言い換えれば、スイッチ部１０は、握り部７から伸ばしたユーザの指が届く範囲内に設けられている。また、スイッチ部１０は、スイッチボックス３０に、ボタン３１、第１中間体３２、第２中間体３３、および基板３４が収納された構成とされている。
【００２８】
ボタン３１は、ユーザに押圧される部材であって、表面がスイッチボックス３０から突出するように設けられている。本実施の形態では、スイッチボックス３０に２つのボタン３１が収納されているが、これに限定されず、スイッチ部１０は、３つ以上のボタン３１を備えていてもよい。ボタン３１の下方には、基板３４が設けられ、ボタン３１と基板３４との間には、第１中間体３２および第２中間体３３が設けられている。第１中間体３２および第２中間体３３は、それぞれのボタン３１毎に設けられている。ボタン３１が押圧された際には、第１中間体３２および第２中間体３３が当接し、ボタン３１が押圧されたことを検知し、電動送風機への指示が入力されたと判断する。なお、図２では、省略しているが、基板３４には、電動送風機を制御する信号などの入出力や、電力の供給などを行うための配線が接続されていてもよい。
【００２９】
スイッチ部１０は、把持筐体４に係止されており、握り部７に対して離接する構成とされている。なお、以下では説明のため、スイッチ部１０が移動する方向を離接方向Ｓ（把持筐体４の長手方向）と呼ぶことがある。具体的に、収容凹部２０は、スイッチボックス３０よりも離接方向Ｓの長さが大きく形成されている。収容凹部２０の壁面には、スイッチボックス３０の両側面にそれぞれ面し、離接方向Ｓへ延伸されたスライド溝２１が形成されている。スイッチボックス３０の側面には、周囲よりも突出した係止突部３５が設けられ、係止突部３５がスライド溝２１に挿入されている。本実施の形態において、係止突部３５は、スイッチボックス３０の両側面に２箇所ずつ設けられている。スライド溝２１および係止突部３５を介して、スイッチボックス３０は、収容凹部２０に係止されており、スライド溝２１に案内されて、離接方向Ｓに移動させることができる。図２および図３は、スイッチ部１０を握り部７に近づけた状態を示している。
【００３０】
図４は、スイッチ部を移動させた状態において、把持筐体の要部を拡大して示す概略断面図であって、図５は、図４に示す把持筐体の要部を拡大して示す概略上面図である。
【００３１】
図４および図５は、図２および図３に対して、スイッチ部１０を握り部７から離間させるように移動させた状態を示している。このように、ユーザの手の大きさなどに応じて、スイッチ部１０の握り部７に対する位置を調節することができる。これによって、ユーザは、スイッチ部１０を操作しやすい位置に調節できるので、使用性を向上させることができる。
【００３２】
また、スイッチ部１０は、握り部７に対して離接させた際、電動送風機への指示内容が変わらない構成とされている。つまり、押圧されるボタン３１と併せて、入力を検知する第１中間体３２、第２中間体３３、および基板３４などが移動しており、ボタン３１をスライドさせて電動送風機への指示内容を変更する構成とは相違している。このように、指示内容が変わらないので、握り部７からのスイッチ部１０の位置だけを変更して、適切な位置関係に調節することができる。
【００３３】
スイッチ部１０には、凹部カバー４０が連結されている。凹部カバー４０は、把持筐体４の外周面に沿って設けられた板状の部材であって、収容凹部２０を覆い、スイッチボックス３０に対応する部分が開口している。凹部カバー４０は、収容凹部２０よりも離接方向Ｓで長く形成されており、スイッチ部１０に連動して移動する構成とされている。つまり、収容凹部２０は、スイッチボックス３０よりも離接方向Ｓで長く形成されているので、把持筐体４の外周面側では、スイッチボックス３０との間に隙間（空洞）が生じるが、凹部カバー４０で覆って、空洞を隠すことで、デザイン性が良くなる。また、スイッチ部１０が把持筐体４に収容される構造とすることで、両者の一体感を生むことができる。さらに、スイッチ部１０を把持筐体４に係止することで、握り部７とスイッチ部１０との位置関係を容易に調整できる構造となる。
【００３４】
（第２実施形態）
次に、本発明の第２実施形態に係る電気掃除機について、図面を参照して説明する。なお、第１実施形態と同様の機能を有する構成要素については同じ符号を付し、その説明を省略する。
【００３５】
図６は、本発明の第２実施形態に係る電気掃除機において、把持筐体の要部を拡大して示す概略断面図であって、図７は、図６に示す把持筐体の要部を拡大して示す概略上面図であって、図８は、カバーを移動させた状態において、把持筐体の要部を拡大して示す概略断面図であって、図９は、図８に示す把持筐体の要部を拡大して示す概略上面図である。
【００３６】
第２実施形態では、第１実施形態に対し、スイッチ部１０を覆うカバー５０が設けられている点で異なる。カバー５０は、凹部カバー４０に連結されており、凹部カバー４０と併せて離接方向Ｓに移動する構成とされている。カバー５０と凹部カバー４０とは、例えば、突部や溝などで係止する構造を用いればよく、例えば、ヒンジ構造である。つまり、凹部カバー４０に対して、カバー５０が移動する構成とされていればよい。図９に示すように、カバー５０は、スイッチ部１０の上面よりも一回り大きく形成されており、カバー５０でスイッチ部１０を覆うことで、不意の落下などでスイッチ部１０が操作されることを防止し、同時にスイッチ部１０を保護することができる。
【００３７】
（第３実施形態）
次に、本発明の第３実施形態に係る電気掃除機について、図面を参照して説明する。なお、第１実施形態および第２実施形態と同様の機能を有する構成要素については同じ符号を付し、その説明を省略する。
【００３８】
図１０は、本発明の第３実施形態に係る電気掃除機において、把持筐体の要部を拡大して示す概略断面図であって、図１１は、図１０に示す把持筐体の要部を拡大して示す概略上面図である。
【００３９】
第３実施形態では、第２実施形態に対し、スイッチボックス３０を係止する構造が異なっている。具体的に、スイッチボックス３０では、係止突部３５の下部に、弾性部材３６が取り付けられている。また、スライド溝２１には、上方への幅が広くなった幅広部（第１幅広部２１ａ、第２幅広部２１ｂ、および第３幅広部２１ｃ）が３箇所設けられている。係止突部３５は、幅広部によって広がった空間に収まるように設計されている。弾性部材３６は、下方へ突出するように湾曲した樹脂製の板バネとされている。次に、スイッチ部１０を移動させる際の係止突部３５と幅広部との関係について、図１２Ａないし図１２Ｃを参照して説明する。
【００４０】
図１２Ａは、係止突部と幅広部との位置関係を示す模式説明図（その１）であって、図１２Ｂは、係止突部と幅広部との位置関係を示す模式説明図（その２）であって、図１２Ｃは、係止突部と幅広部との位置関係を示す模式説明図（その３）である。
【００４１】
図１２Ａないし図１２Ｃは、スイッチ部１０および収容凹部２０のうち、スイッチボックス３０の一方の側面側の係止突部３５、弾性部材３６、およびスライド溝２１を抜き出して示している。スライド溝２１に設けられた３箇所の幅広部について、それぞれを区別するために、離接方向Ｓで並んだ順に基づいて、第１幅広部２１ａ、第２幅広部２１ｂ、および第３幅広部２１ｃと呼ぶ。
【００４２】
図１２Ａは、図１０に示す状態（スイッチ部１０が、握り部７に近い状態）に対応しており、２箇所の係止突部３５は、それぞれ弾性部材３６によって上方へ付勢され、第２幅広部２１ｂと第３幅広部２１ｃとに収まっている。この状態では、係止突部３５が第２幅広部２１ｂおよび第３幅広部２１ｃに引っ掛かっているので、スイッチボックス３０は、離接方向Ｓへの移動が規制されている。
【００４３】
図１２Ｂは、図１２Ａに対し、スイッチボックス３０が下方へ押し込まれており、弾性部材３６の付勢力に抗して、係止突部３５が下方へ押し下げられている。それによって、係止突部３５と幅広部との係止が解除されると、スイッチボックス３０を離接方向Ｓへ移動させることができる。
【００４４】
図１２Ｃは、図１２Ｂに対し、スイッチボックス３０を離接方向Ｓへ移動させた状態（スイッチ部１０が、握り部７から遠い状態）を示している。スイッチボックス３０を移動させて、２箇所の係止突部３５が、第１幅広部２１ａと第２幅広部２１ｂとに到達すると、弾性部材３６によって上方へ付勢され、第１幅広部２１ａと第２幅広部２１ｂとに収まる。このように、スイッチボックス３０は、幅広部に対応した位置で停止し、移動が規制される。
【００４５】
上述したように、スイッチ部１０は、握り部７から離間した距離に応じて、複数の停止位置が設定されており、停止位置において移動が規制される構成とされている。つまり、スイッチ部１０を停止位置で停止させることで、不意にスイッチ部１０が移動することを防ぎ、適切な位置関係を維持することができる。
【００４６】
図１２Ａないし図１２Ｃでは、係止突部３５が矩形状とされている構造を示したが、これに限定されず、係止突部３５の離接方向Ｓでの角部を切り欠いたり、丸みを付けたりして、係止突部３５が幅広部から抜け出しやすい構造としてもよい。また、係止突部３５の形状を変更した際には、幅広部を係止突部３５に応じた形状としてもよい。さらに、上述した構造では、幅広部を３箇所に設けたが、これに限定されず、幅広部の数を多くして、スイッチ部１０の停止位置を増やしてもよい。これによって、スイッチ部１０の移動をより細かい位置関係で調整することが可能となる。
【００４７】
（第４実施形態）
次に、本発明の第４実施形態に係る電気掃除機について、図面を参照して説明する。なお、第１実施形態ないし第３実施形態と同様の機能を有する構成要素については同じ符号を付し、その説明を省略する。
【００４８】
図１３は、本発明の第４実施形態に係る電気掃除機において、把持筐体の要部を拡大して示す概略断面図である。
【００４９】
第４実施形態は、第３実施形態に対し、カバー５０の形状が異なっている。具体的に、カバー５０は、把持筐体４に連結されており、凹部カバー４０とは独立した構造とされている。つまり、凹部カバー４０を移動させても、カバー５０の位置は変わらない構造となっている。カバー５０は、離接方向Ｓにおいて、凹部カバー４０よりも大きく形成されており、凹部カバー４０を含むスイッチ部１０全体を覆う構造となっている。本実施の形態において、カバー５０は、端部を支点にして矢符Ｒの方向へ回動する構成となっており、二点鎖線で示すカバー５０は、スイッチ部１０から離間させた状態を示している。このように、スイッチ部１０を操作する際は、カバー５０を開くことでボタン３１が露出し、カバー５０を閉じてスイッチ部１０を覆うことで、不意にスイッチ部１０が操作されることを防止できる。
【００５０】
図１３では、カバー５０を回動させる構成を示したが、これに限定されず、カバー５０を離接方向Ｓにスライドさせて、スイッチ部１０の露出と保護とを切り替える構成としてもよい。
【００５１】
また、握り部７に対してスイッチ部１０を離接させた際、複数のボタン３１に割り当てた指示内容を入れ替える構成としてもよい。例えば、２つのボタン３１のうち、握り部７から遠いボタン３１に、電動送風機のオン／オフの切り替え機能を割り当てたとすると、スイッチ部１０を移動させたとき、握り部７に近いボタン３１に、電動送風機のオン／オフの切り替え機能を割り当てる。スイッチ部１０の位置については、適宜センサー等を設けて検知すればよい。このように、スイッチ部１０の位置によって、ボタン３１毎の機能を入れ替えることで、使用頻度の高い機能を操作しやすい位置に設定するなど、スイッチ部１０の配置の自由度を向上させることができる。
【００５２】
（第５実施形態）
次に、本発明の第５実施形態に係る電気掃除機について、図面を参照して説明する。なお、第１実施形態ないし第４実施形態と同様の機能を有する構成要素については同じ符号を付し、その説明を省略する。
【００５３】
図１４Ａは、本発明の第５実施形態に係る電気掃除機において、把持筐体の要部を拡大して示す概略断面図であって、図１４Ｂは、ボタンカバーを移動させた状態において、把持筐体の要部を拡大して示す概略断面図である。
【００５４】
第５実施形態は、第１実施形態に対し、スイッチ部１０の構成が異なっている。具体的に、スイッチ部１０では、把持筐体４にスイッチボックス３０が固定されており、スイッチボックス３０の一部を覆うボタンカバー６０が設けられている。図１４Ａでは、収容凹部２０を図示しないが、把持筐体４には、スイッチボックス３０を収納する空間が設けられていればよい。
【００５５】
本実施の形態において、スイッチボックス３０には、４つのボタン３１が収納されている。以下では、４つのボタン３１をそれぞれ区別するために、離接方向Ｓで握り部７に近い側から順に、第１ボタン３１ａ、第２ボタン３１ｂ、第３ボタン３１ｃ、および第４ボタン３１ｄと呼ぶことがある。
【００５６】
ボタンカバー６０は、離接方向Ｓに移動する構成とされている。図１４Ａに示す状態において、ボタンカバー６０は、第３ボタン３１ｃおよび第４ボタン３１ｄを覆っており、第１ボタン３１ａおよび第２ボタン３１ｂは露出している。また、図１４Ｂは、図１４Ａに対し、ボタンカバー６０を移動させた状態を示しており、ボタンカバー６０は、第１ボタン３１ａおよび第４ボタン３１ｄを覆っており、第２ボタン３１ｂおよび第３ボタン３１ｃは露出している。スイッチ部１０では、適宜センサー等を設けてボタンカバー６０の位置を検知すればよく、ボタンカバー６０の位置によって、ボタン３１毎の機能を入れ替えればよい。つまり、ボタンカバー６０で覆われているボタン３１からの入力を受け付けないようにし、露出しているボタン３１に機能を割り当てればよい。このように、ボタンカバー６０を移動させることで、見た目、スイッチ部１０が握り部７に対して離接したとユーザに認識させることができる。
【００５７】
図１４Ｂでは、第２ボタン３１ｂおよび第３ボタン３１ｃが露出する位置までボタンカバー６０を移動させた状態を示したが、これに限定されず、第１ボタン３１ａおよび第２ボタン３１ｂを覆い、第３ボタン３１ｃおよび第４ボタン３１ｄを露出させる位置まで、さらにボタンカバー６０を移動させる構成としてもよい。
【００５８】
また、予めボタン３０毎に割り当てる機能を特定する構成としてもよく、例えば、第１ボタン３１ａと第３ボタン３１ｃとが同じ機能を有し、第２ボタン３１ｂと第４ボタン３１ｄとが同じ機能を有する構成としてもよい。つまり、第１ボタン３１ａおよび第２ボタン３１ｂの組み合わせと、第３ボタン３１ｃおよび第４ボタン３１ｄの組み合わせとのいずれかを用いることで、電気掃除機１に同様の指示を入力できる。この場合、ボタンカバー６０が決まった位置で停止する構成としてもよく、例えば、第１ボタン３１ａおよび第２ボタン３１ｂを覆う位置と、第３ボタン３１ｃおよび第４ボタン３１ｄを覆う位置とのいずれかに、ボタンカバー６０が停止するように設定してもよい。この構成では、位置調整が２段階に限定されるが、ボタンカバー６０がいずれの位置に停止していても、電気掃除機１に適切な指示を入力できるので、ボタンカバー６０の位置を検知するセンサーが不要となり、コストダウンを図ることができる。
【００５９】
ボタンカバー６０については、露出させるボタン３１の数に応じた開口部を設けてもよいし、複数に分割して、それぞれが独立して移動する構成としてもよい。複数に分割されたボタンカバー６０とした際には、例えば、ボタンカバー６０同士の間隔が、一定の距離より大きく離れないように、互いに係止された構成として、露出させるボタン３１の数を調整してもよい。また、全てのボタン３１を覆うようにボタンカバー６０を移動させてもよく、上述したカバー５０のように、不意にスイッチ部１０が操作されることを防止できる。
【００６０】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６１】
１  電気掃除機
２  本体
３  ホース
４  把持筐体
５  パイプ
６  吸引部
７  握り部
１０  スイッチ部
２０  収容凹部
２１  スライド溝
３０  スイッチボックス
３１  ボタン
３５  係止突部
４０  凹部カバー
５０  カバー
【図１】
2019141333.tif 000003
【図２】
2019141333.tif 000004
【図３】
2019141333.tif 000005
【図４】
2019141333.tif 000006
【図５】
2019141333.tif 000007
【図６】
2019141333.tif 000008
【図７】
2019141333.tif 000009
【図８】
2019141333.tif 000010
【図９】
2019141333.tif 000011
【図１０】
2019141333.tif 000012
【図１１】
2019141333.tif 000013
【図１２Ａ】
2019141333.tif 000014
【図１２Ｂ】
2019141333.tif 000015
【図１２Ｃ】
2019141333.tif 000016
【図１３】
2019141333.tif 000017
【図１４Ａ】
2019141333.tif 000018
【図１４Ｂ】
2019141333.tif 000019